(57)【要約】【課題】医療機関と受診者の間で双方向通信を可能にして身体情報の伝達と診療予約の迅速化を図る。【解決手段】情報仲介者５内のＬＡＮ５Ａは医療機関１Ａ，１Ｂ，１Ｃ内のＬＡＮ２Ａ，２Ｂ，２Ｃと通信事業者３を介してＷＡＮを構成し、通信事業者３は受診者の所有する携帯電話４Ａ，４Ｂ，４Ｃに接続可能である。医療機関１Ａ，１Ｂ，１Ｃは検診結果等を身体情報として受診者各自に配信するよう情報仲介者５に依頼し、情報仲介者５は身体情報を受診者にそれぞれ配信する。自らの身体情報を見て、再検査や治療の必要を自覚した特定受診者は情報仲介者５に各医療機関１Ａ，１Ｂ，１Ｃの受診予約状況の調査を依頼し、その結果を見て、特定の医療機関に診療を予約する。【選択図】図１
2006004305.tif 000002
【特許請求の範囲】
【請求項１】
医療機関から得られる複数の受診者に関するそれぞれの身体情報を送信する情報処理装置と、該情報処理手段から送信された前記身体情報を前記複数の受診者にそれぞれ対応させて記憶し該記憶した身体情報を選択的に取り出す情報仲介装置と、前記複数の受診者がそれぞれ所持し前記情報仲介装置から送信された各自の身体情報を受信すると該受診した身体情報を画像として表示する複数の移動情報端末とを備えた医療情報管理システムにおいて、前記情報処理手段は医療機関の受診予約を管理する受診予約ファイルを保持しており、特定受診者が前記移動情報端末から前記情報仲介装置に前記医療機関の受診予約状況を調査するよう依頼すると、前記情報仲介装置は前記情報処理手段に前記受診予約ファイルを調査させ、該調査結果を前記情報処理手段から受け取り、該受け取った調査結果を前記特定受診者の前記移動情報端末に送信して前記受診予約状況を前記特定受診者に知らせることを特徴とする医療情報管理システム。
【請求項２】
医療機関から得られる複数の受診者に関するそれぞれの身体情報を送信し医療機関の受診予約を管理する受診予約ファイルを保持する情報処理装置と、前記複数の受診者がそれぞれ所持し各自の身体情報を受信すると該受信した身体情報を画像として表示する複数の移動情報端末とともに医療情報管理システムを構成する情報仲介装置であって、該情報仲介装置は前記情報処理装置から送信された前記身体情報を前記複数の受診者にそれぞれ対応させて記憶し該記憶した身体情報を選択的に取り出して前記複数の移動情報端末に選択的に送信すると共に、特定受診者が前記移動情報端末から前記医療機関の受診予約状況を調査するよう依頼されると、前記情報処理手段に前記受診予約ファイルを調査させ、該調査結果を前記情報処理手段から受け取り、該受け取った調査結果を前記特定受診者の前記移動情報端末に送信して前記受診予約状況を前記特定受診者に知らせることを特徴とする情報仲介装置。
【請求項３】
複数の受診者がそれぞれ所持し各受診者の身体情報を受信すると該受信した身体情報を画像として表示するとともに特定受診者が医療機関の受診予約状況の調査を所望すると調査依頼を送信する複数の移動情報端末と、医療機関から得られる前記複数の受診者に関するそれぞれの身体情報を前記複数の受診者にそれぞれ対応させて記憶し該記憶した身体情報を選択的に取り出して前記複数の移動情報端末に選択的に送信するとともに前記調査依頼を受けると前記医療機関の前記受診予約状況を調査し調査結果を前記特定受信者の前記移動情報端末に送信する情報仲介装置とともに医療情報管理システムを構成する情報処理装置であって、該情報処理装置は医療機関から得られる前記複数の受診者の前記身体情報を前記情報仲介装置に送信するとともに、前記医療機関の受診予約を管理する受診予約ファイルを保持し、前記情報仲介装置から要求されると前記受診予約ファイルを調査して該調査結果を前記情報仲介装置に送信することを特徴とする情報処理装置。
【発明の詳細な説明】
【技術分野】
【０００１】
本発明は集団検診等を受けた受診者の身体情報を受診者の移動情報端末にコンピュータネットワーク等を介して配信した後に、身体情報を受け取った受診者が移動情報端末から医療機関に診療を予約する医療情報管理システムに関する。
【背景技術】
【０００２】
一般に集団検診を受けた受診者は紙面に印刷された検診結果、即ち身体情報を医療機関から受け取り、検診結果を了知させられていた。受診者の中には精密検査や治療を必要とする者もおり、精密な検査あるいは治療の必用を知らされた受診者は自ら医療機関に出向き、精密検査や治療を予約していた。
【０００３】
しかしながら、紙面に印刷された検診結果は紛失したり毀損しやすく、受診者が検診結果を承知し損なったり、後日、検診結果を再確認しようとしても再確認ができず、重大な疾病の疑惑があるにもかかわらず、精密検査が遅れたり、治療が手遅れになるという問題を惹起していた。
【０００４】
そこで本特許出願人は医療機関で作成される身体情報をコンピュータネットワークで受診者の携帯する移動情報端末、例えば携帯電話に配信して受診者にその身体情報を確実に了知せしめる医療情報管理システムを提案した。この医療情報管理システムとそのシステムを構成する情報仲介装置並びに情報処理装置は特願２００３−２０３３２６号に開示されている。
【０００５】
ところが、特願２００３−２０３３２６号で開示した医療情報管理システムを利用して受診者にその身体情報を確実に了知せしめても、精密検査や治療を要する患者は依然として医療機関に出向いて精密検査や診療を予約しなければならず、多忙な受診者はその労を惜しみ、治療が遅れるという問題点があった。
【特許文献１】特願２００３−２０３３２６号
【発明の開示】
【発明が解決しようとする課題】
【０００６】
本発明が解決しようとする問題点は、既に提案した医療情報管理システムの医療機関から受診者への情報の一方向性である。
【課題を解決するための手段】
【０００７】
本発明は、既に特願２００３−２０３３２６号で提案した医療情報管理システムに情報の双方向性を与え、受診者が携帯する移動情報端末から本医療情報管理システムに参加している医療機関に診療を予約できることを最も主要な特徴とする。
【発明の効果】
【０００８】
本発明に係る医療情報管理システムは、医療機関で分析された身体情報を受診者各自の移動情報端末に選択的に配信して受診者に各々の身体情報を了知せしめると共に、受診者が医療機関での再度の検査や治療を希望する場合には、受診者が携帯する移動情報端末から本医療情報管理システムに参加している医療機関の予約情報を得、必要なら所望の医療機関で検査や治療を予約させられる。したがって、受診者の便宜が図られ、迅速に再検査や治療を受けさせられるという利点がある。
【発明を実施するための最良の形態】
【０００９】
医療機関のＬＡＮ（Ｌｏｃａｌ  Ａｒｅａ  Ｎｅｔｗｏｒｋ）と情報仲介装置、更に情報仲介装置と受診者にそれぞれ携帯されている移動情報端末が通信事業者の提供するサービスを介して接続され、医療機関のＬＡＮ、情報仲介装置並びに受診者の移動情報端末で医療情報管理システムを構築する。なお、以下の説明で使用する「通信事業者」という概念には、移動情報端末に依存してインターネットサービスプロバイダーも含めることもある。したがって、情報仲介装置から移動情報端末へ情報を送るに際してインターネットサービスプロバイダーを介することもある。医療機関のＬＡＮを構成する情報処理装置は情報仲介装置とクライアントーエージェントモデルを構成しており、情報処理装置は医療機関内で管理している複数受診者の電子ファイルから複数受診者にそれぞれ了知させるべき情報を抽出して送信ファイルを作成し、これを複数受診者にそれぞれ配信するよう情報仲介装置に依頼する。情報仲介装置は医療機関から送信されてきた複数のファイルの内容を管理し、複数の受診者が携帯する情報移動端末に身体情報を選択的に配信する。身体情報は複数受診者の携帯する情報移動端末で視覚情報あるいは音声等人間が理解できる形式に変換され、複数受診者にそれぞれ身体情報を了知される。受診者に携帯されている移動情報端末と情報仲介装置は更にクライアントーサーバーモデルおよびクライアントーエージェントモデルを構成しており、複数受診者の身体情報は情報仲介装置で管理されていることから、特定の受診者は自らの身体情報の再確認を所望すると、自らの移動情報端末から仲介業者に自らの身体情報の送信を依頼し、仲介業者は特定受診者の依頼に応答して身体情報を送信する。
【００１０】
特定受診者が特定期間あるいは特定医療機関の予約状況を調査するよう依頼すると、情報仲介装置は特定医療機関のＬＡＮを構成している受診予約ファイルあるいは複数医療期間のＬＡＮをそれぞれ構成している受診予約ファイルで予約状況を調べ、その調査結果から予約可能日時と医療機関名を特定受診者の移動情報端末に送信する。この予約可能日時と医療機関名は特定受診者の移動情報端末で視覚情報あるいは音声に変換され、特定受診者は本医療情報管理システムに参加する医療機関の予約情報を一括してあるいは選択的に得られる。ここで特定受診者が特定日時に特定医療機関で検査あるいは診療を希望すると、自らの移動情報端末から情報仲介装置に予約を依頼する。仲介装置はこの依頼に応答して特定医療機関の受診予約ファイルに特定受診者の検査あるいは治療の予約をし、その結果を特定受診者の情報移動端末に通知する。したがって、受診者の移動情報端末は医療機関のＬＡＮと情報仲介装置を介して双方向に情報を交換でき、受診者の便宜が図られる。
【実施例１】
【００１１】
図１は、本発明に係る医療情報管理システムのハードウエア構成を示すブロック図である。図１において、複数の医療機関１Ａ，１Ｂ，１Ｃ．．には、その規模に応じたＬＡＮ２Ａ，２Ｂ，２Ｃ，．．が構築されており、ＬＡＮ１Ｂは中規模、ＬＡＮ２Ｂは大規模、ＬＡＮ３Ｂは小規模とする。通信事業者３はこれらのＬＡＮ２Ａ，２Ｂ，２Ｃ，．．を接続しており、更に通信事業者３は移動情報端末として機能する携帯電話４Ａ，４Ｂ、４Ｃ．．．にも無線通信チャンネルを提供している。通信事業者３は更に情報仲介事業者５内のＬＡＮ５Ａにも接続しており、ＬＡＮ５ＡはＬＡＮ１Ａ，１Ｂ，１Ｃ．．．とＷＡＮ（Ｗｉｄｅ  Ａｒｅａ  Ｎｅｔｗｏｒｋ）を構成しており、ＴＣＰ／ＩＰプロトコルでＬＡＮ１Ａ，１Ｂ，１Ｃと情報交換可能である。本実施形態では、ＷＡＮをインターネットを利用したエクストラネットとして構築している。
【００１２】
中規模ＬＡＮ２Ａには、複数のパーソナルコンピュータ１ａ，１ｂ．．と複数のサーバーコンピュータ１ｃ、１ｄが含まれており、これらはインサーネットワークで互いに情報を交換できる。中規模ＬＡＮ２Ａでは、サーバーコンピュータ１ｃがファイルサーバーとして機能し、サーバーコンピュータ１ｄがインターネットサーバーとして機能する。インターネットサーバーは常時インターネット上の他のＬＡＮと情報をやり取りするソフとウエアを備えたサーバーコンピュータであり、後述する各種依頼を処理するためのソフとウエアも備えている。各パーソナルコンピュータ１ａ，１ｂ，．．とサーバーコンピュータ１ｃ、１ｄは情報処理装置として機能する。
【００１３】
大規模ＬＡＮ２Ｂには、複合的に情報処理装置として機能する複数のパーソナルコンピュータ１ｆ，１ｈ．．と複数のザーバーコンピュータ１ｊ、１ｋ，．．からなるサーバーファームが含まれており、イントラネット、エクストラネットが大規模ＬＡＮ２Ｂ内に構築されている。大規模ＬＡＮ２Ｂでは、サーバーコンピュータ１ｊがファイルサーバーとして機能し、サーバーコンピュータ１ｋがインターネットサーバーとして機能している。
【００１４】
小規模ＬＡＮ２Ｃには、複合的に情報処理装置として機能する複数のパーソナルコンピュータ１ｍ、１ｎとサーバーコンピュータ１ｐが含まれており、サーバーコンピュータ１ｐは複数のサーバー機能を持つアプライアンスサーバーとして機能している。したがって、ファイルサーバーとインターネットサーバーはサーバーコンピュータ１ｐで実現する。
【００１５】
ＬＡＮ５Ａには、パーソナルコンピュータ５ａ．．．とサーバーコンピュータ５ｂ，５ｃ，．．が含まれており、サーバー専用コンピュータ５ｂ、５ｃ．．はファイルサーバー、インターネットサーバー、ファイアウオールサーバー等情報仲介に必要なサーバーとして機能する。パーソナルコンピュータ５ａ，．．とサーバーコンピュータ５ｂ、５ｃ、．．は複合的に情報仲介装置を構成している。
【００１６】
医療機関１Ａ，１Ｂ，１Ｃ，．．のファイルサーバー１ｃ、１ｊ、１ｐで管理している電子ファイルは受診者毎に作成されており、各電子ファイルには、集団検診の結果や診断、治療履歴を含む受診者の身体情報と、身体情報のネットワーク配信を希望するか否かを示す受診者の選択、配信履歴とその結果、希望する場合の受診者の移動情報端末に割り当てられたアドレス、暗証番号等通信に必用な通信情報が少なくとも保持されている。またこれら身体情報の各項目には受診者に配信可能か否かを示すタグが付されている。医師はパーソナルコンピュータ１ａ、１ｂ、１ｆ、１ｈ、１ｍ、１ｎから診断、採用した治療方法および投薬実績を受診者の電子ファイルに入力し、検査技師は各種検査の結果をパーソナルコンピュータ１ａ乃至１ｎから受診者の電子ファイルに入力する。また、これら医療機関１Ａ，１Ｂ，１Ｃ，．．のファイルサーバーには、受診予約ファイルが作成されており、この受診予約ファイルには、診療予約、検査予約、手術予約等が医師、検査室、手術室毎に予約日時を管理されている。診療予約や検査予約は医師または事務職員がパーソナルコンピュータ１ａ乃至１ｎから入力される他、情報仲介者５のインターネットサーバー５ｃが受診者のエージェントとして予約できる。
【００１７】
情報仲介者５のファイルサーバーには、電子ファイルがネットワーク配信を希望する受信者毎に作成されており、各医療機関１Ａ，１Ｂ，１Ｃ．．から送られてきた配信可能な身体情報と通信情報が保持されている。また、情報仲介者のファイルサーバーには、本医療情報管理システムに参加している医療機関の名称、所在地の他、各ＬＡＮ２Ａ，２Ｂ，２Ｃ，．．のインターネットサーバーに付与されたアドレス等の通信情報を保持する電子ファイルも作成されており、情報仲介者５のインターネットサーバー５ｃは係る電子ファイルを参照して医療機関１Ａ，１Ｂ，１Ｃに保持されている受診予約ファイルにアクセスできる。
【００１８】
本発明に係る医療情報管理システムでは、少なくとも（１）医療機関１Ａ，１Ｂ，１Ｃ，．．が情報仲介者５にネットワークを介した身体情報の配信を依頼する（以下，「依頼１」という）、（２）受診者が情報仲介者５に自らの身体情報の配信を依頼する（以下「依頼２」という）、（３）受診者が情報仲介業者５に医療情報管理システムに参加している医療機関１Ａ，１Ｂ，１Ｃの予約状況を調査するよう依頼する（以下，「依頼３」という）、（４）受診者が情報仲介者５に特定医療機関の受診予約ファイルに診療を予約するよう依頼する（以下，「依頼４」という）ことができる。以下，依頼事項を処理する手順を順次説明する。
【００１９】
図２、図３は依頼１の手順を示すフローチャートである。複数の受診者が医療機関１Ａで血液検査、レントゲン検査等を含む集団検診を受けたと仮定する。なお、受診者が他の医療機関１Ｂ，１Ｃ．．で受診した場合にも同様の手順で処理される。図２において、パーソナルコンピュータ１ａがクライアントとして機能していることにする。  
【００２０】
医師、検査技師、事務員等が診断、検査データ、修正された通信情報等の入力を所望すると、パーソナルコンピュータ１ａが処理を開始する。まず、パーソナルコンピュータ１ａはファィルサーバー１ｃに特定受診者の電子ファイルを送付するように要求し（Ｓ１）、ファイルサーバー１ｃはこの要求に応答して指定された受診者の電子ファイルをパーソナルコンピュータ１ａに送信する（Ｓ２）。特定受診者の電子ファイルを受領（Ｓ３）したパーソナルコンピュータ１ａは必要事項をそのディスプレイの画面に表示し、医師あるいは検査技師は診断、検査結果等身体情報を入力する（Ｓ４）。身体情報の入力を完了すると、パーソナルコンピュータ１ａは特定受診者の電子ファイルをファイルサーバー１ｃに送信する（Ｓ５）。ファイルサーバー１ｃは電子ファイルを受信すると（Ｓ６）、特定受診者の電子ファイルを更新し（Ｓ７）、パーソナルコンピュータ１ａに電子ファイルの更新通知を送る（Ｓ８）。
【００２１】
電子ファイルをファイルサーバー１ｃへ送信した後、パーソナルコンピュータ１ａは配信すべき身体情報が既に揃ったか、特定受診者がコンピュータネットワークで配信を希望しているか、更に既に同じ身体情報が配信されているかを調べ、今回の電子ファイルの更新時に特定受診者に身体情報を配信すべきか否かを決定する（Ｓ９）。特定受診者がネットワーク配信を希望していない、あるいは配信すべき全ての身体情報が電子ファイルに保管されていない、若しくは既に同じ身体情報を特定受診者に配信済みなら、ステップＳ９の判断は「いいえ」（Ｎ）となり、パーソナルコンピュータ１ａは直ちに処理を終了する。事務員が通信情報を変更した場合もステップＳ９の判断は「いいえ」となる。
【００２２】
他方、特定受診者がネットワーク配信を希望しており、配信すべき身体情報が揃っており、しかも同一身体情報が特定受診者に未だ配信されていないなら、ステップＳ９の判断は「はい」（Ｙ）となり、パーソナルコンピュータ１ａはインターネットサーバー１ｄに身体情報を特定受診者に配信するよう要求する（Ｓ１０）。
【００２３】
配信要求を受け取ったインターネットサーバー１ｄはファイルサーバー１ｃへ特定受診者の電子ファイルを送信するよう要求し（Ｓ１１）、送信要求を受け取ったファイルサーバー１ｃは特定受診者の電子ファイルをインターネットサーバー１ｄへ送信する（Ｓ１２）。特定受診者の電子ファイルを受信すると（Ｓ１３）、インターネットサーバー１ｄは特定受診者の電子ファイル中から配信すべき身体情報と通信情報を読み出し、これらの情報をペイロードとするパケットからなる送信ファイルを作成する（Ｓ１４）。次に、インターネットサーバー１ｄはＬＡＮ５Ａのインターネットサーバー５ｃに特定受診者の身体情報をネットワーク配信するよう要求する（Ｓ１５）。この配信要求は通信事業者３を介して情報仲介者５のＬＡＮ５Ａを構成するインターネットサーバー５ｃに送信され、インターネットサーバー５ｃは配信できる状況ならインターネットサーバー１ｄへ配信了承を送信する。インターネットサーバー１ｄは配信了承を確認すると（Ｓ１６）、送信ファイルをインターネットサーバー５ｃへ送信する（Ｓ１７）。インターネットサーバー１ｄは定期的に送信ファイルの送信が完了したか否かを調べ（Ｓ１８）、未完了ならステップＳ１７を繰り返す。送信ファイルが情報仲介者５に渡ったことを確認すると、ステップＳ１８の判断は「はい」（Ｙ）となり、インターネットサーバー１ｄは特定受診者の電子ファイル中の通信履歴にこの度の送信ファイルの配信を書き込む（Ｓ１９）。
【００２４】
インターネットサーバー１ｄは特定受診者の電子ファイルをファイルサーバー１ｃへ送り、ファイルサーバー１ｃは特定受診者の電子ファイルを更新する（Ｓ２１）。特定受診者の電子ファイルが更新されると、インターネットサーバー１ｄは配信完了をパーソナルコンピュータ１ａに報告し（Ｓ２２）、パーソナルコンピュータ１ａはそのディスプレイ画面に配信完了を表示して（Ｓ２３）、特定受診者について身体情報の配信依頼処理を終了する。複数の受診者について上記ステップＳ１乃至Ｓ２３を繰り返し、全ての受診者の身体情報の配信を情報仲介者５に依頼する。なお、インターネットサーバー１ｄは定期的に受診者の電子ファイルをファイルサーバー１ｃから取りだし、配信結果が「失敗」となっている特定受診者を選び出し、再度、情報仲介者５に配信を依頼する。したがって、新たに入力された身体情報はネットワーク配信を希望する全ての受診者に確実に届けられる。
【００２５】
ステップＳ１５で配信要求を受け取ったインターネットサーバー５ｃは特定受診者の送信ファイルを受信し（Ｓ３１）、送信ファイルを全て受け取ったか否かを調べる（Ｓ３２）。送信ファイルを継続して受信中ならステップＳ３２の判断は「いいえ」（Ｎ）となるので、インターネットファイルサーバー５ｃはステップＳ３１に戻って引き続き送信ファイルを受信する。送信ファイルの受信が完了すると、ステップＳ３２の判断は「はい」（Ｙ）に変わるので、インターネットサーバー５ｃはファイルサーバー５ｂに特定受信者の電子ファイルが既に保管されているか否かを尋ねる（Ｓ３３）。ファイルサーバー５ｂは特定受診者の電子ファイルを既に保管しているか否かを調査し（Ｓ３４）、特定受診者の電子ファイルを発見したときには、ファイルサーバー５ｂはその電子ファイルをインターネットサーバー５ｃへ送付する（Ｓ３５）。他方、特定受診者の電子ファイルを発見できなかったときには、ファイルサーバー５ｂはインターネットサーバー５ｃに電子ファイルの不存在を報告する（Ｓ３６）。
【００２６】
電子ファイルの不存在を知らされたインターネットサーバー５ｃは特定受診者のために電子ファイルを新たに作成する（Ｓ３７）。このようにして特定受診者の電子ファイルを入手した後、インターネットサーバー５ｃは受診した送信ファイル中の特定受診者の身体情報を電子ファイルに書き込み、特定受診者の身体情報をペイロードとしヘッダーに特定受診者の携帯に割り当てられたアドレス等を書き込んだパケットからなる送信ファイルを作成する（ステップＳ３８）。その後、インターネットサーバー５ｃは送信ファイルを通信事業者３に送り、特定受診者の携帯電話４Ａ，４Ｂ，４Ｃ，．．へ配信するよう通信事業者３に依頼する（Ｓ３９）。
【００２７】
通信事業者３は特定受診者の携帯電話４Ａ．．に身体情報を配信し（Ｓ４０）、携帯電話４Ａ．．が身体情報を受信したか否かを判断する（Ｓ４１）。特定受信者が通信可能地域外にいたり、故意に携帯電話４Ａの電源を切っている場合には、ステップＳ４１の判断は「いいえ」（Ｎ）となる。ステップＳ４１の判断が「いいえ」になると、不通あるいは通信未完了が通信事業者３からインターネットサーバー５ｃに報告され、インターネットサーバー５ｃは配信依頼を既に所定回数実施したか否かを判断する（Ｓ４２）。ステップＳ４２の判断が「いいえ」（Ｎ）ならインターネットサーバー５ｃはステップＳ３９に戻って、配信要求を繰り返す。送信を所定回数繰り返しても身体情報が特定受診者の携帯電話４Ａ．．に受信されないときには、ステップＳ４２の判断が「はい」（Ｙ）となり、インターネットサーバー５ｃは配信結果報告を作成する（Ｓ４３）。通信事業者３が特定受診者の携帯電話に身体情報を送信完了した場合には、ステップＳ４１の判断が「はい」（Ｙ）となり、インターネットサーバー５ｃは同じく配信結果報告を作成する。
【００２８】
配信結果報告は特定受診者の電子ファイルに書きこまれ（Ｓ４４）、その後、インターネットサーバー１ｄにも送信される（Ｓ４５）。インターネットサーバー１ｄはこの配信結果を特定受診者の電子ファイルに書き込み、電子ファイルを更新する。インターネットサーバー５ｃも特定受診者の電子ファイルをファイルサーバー５ｂに送付して（Ｓ４６）、ファイルサーバー５ｂは特定受診者の電子ファイルを受領し（Ｓ４７）、これを更新して、処理を終了する。
【００２９】
次に、依頼２の処理手順を説明する。図４は依頼２の処理手順を表すフローチャートである。特定受診者が身体情報を確認したいときには、自ら所有する携帯電話４Ａから情報仲介者５に自分の身体情報を送信するよう依頼する（Ｓ５１）。この要求には暗証番号等身元確認情報を含める。送信要求を受け取ったインターネットサーバー５ｃはファイルサーバー５ｂに当該受診者の電子ファイルを送付するよう依頼する（Ｓ５２）。インターネットサーバー５ｃは特定受診者の電子ファイルを受け取ると、身元を確認し、身元が確認されると、医療機関１Ａにファイルサーバー５ｂから送られてきた電子ファイル中の身体情報が最新であるか確認を求める（Ｓ５４）。医療機関のＬＡＮ２Ａは情報仲介者５から送られてきた情報をファイルサーバー１ｃ中に保管されている電子ファイルの情報と比較し、インターネットサーバー１ｄが比較結果をインターネットサーバー５ｃへ送信する。最新の身体情報が電子ファイル中に保管されていた場合にはステップＳ５５の判断結果は「はい」（Ｙ）となり、インターネットサーバー５ｃは直ちに電子ファイル中の身体情報をペイロードとするパケットからなる送信ファイルを作成する（Ｓ５８）。他方、電子ファイル中の身体情報の一部が更新されていたなら、ステップＳ５５の判断は「いいえ」（Ｎ）となり、インターネットサーバー５ｃは医療機関１Ａに最新の身体情報を送信するよう依頼する（Ｓ５６）。医療機関１Ａから最新の身体情報を受け取ると（Ｓ５７）、インターネットサーバーは最新の身体情報を特定受診者の電子ファイルに書き込み、送信ファイルを作成する（Ｓ５８）。
【００３０】
送信ファイルが作成されると、インターネットサーバー５ｃは送信ファイルを特定受診者に送信するよう通信事業者３に依頼する（Ｓ５９）。送信ファイルが携帯電話４Ａに受診されると、携帯電話４Ａは受信確認をインターネットサーバー５ｃへ送信し（Ｓ６０）、身体情報を特定受信者に画像等で了知させる（Ｓ６１）。インターネットサーバー５ｃは受信を確認すると配信結果を医療機関１Ａに通知する（Ｓ６２）。医療機関１Ａでは、配信を当該受信者の電子ファイルに書き込み、電子ファイルを更新する。なお、特定受信者から身体情報を要求したのであるから、身体情報が携帯電話４Ａで受信できないことは稀である。しかしながら、そのような稀な事態が生じたら、インターネットサーバー５ｃはステップＳ３９からＳ４２のように送信を所定回数繰り返す。
【００３１】
医療機関１Ａに配信を報告した後、インターネットサーバー５ｃは配信結果を特定受信者の電子ファイルに書き込み（Ｓ６３），該電子ファイルをファイルサーバー５ｂに送付する（Ｓ６４）。ファイルサーバー５ｂは電子ファイルを更新して、処理を終了する
【００３２】
次に依頼３の手順を説明する。図５は依頼３を処理する手順を示したフローチャートである。特定受診者が本医療情報管理システムに参加している医療機関の受診予約状況を知りたいときには、該特定受診者は自ら所持する携帯電話４Ａから情報仲介者５に予約状況の調査を依頼する（Ｓ７１）。情報仲介者５のＬＡＮ５Ａを構成するインターネットサーバー５ｃは本人確認後、本医療情報管理システムに参加している医療機関１Ａ，１Ｂ，１Ｃ，．．を地域毎にまとめた一覧表を携帯電話４Ａに送付し、地域または医療機関を指定するよう促す（Ｓ７２）。特定受診者は地域または医療機関を選択し、選択した地域あるいは医療機関名を情報仲介者５に送付する（Ｓ７３）。インターネットサーバー５ｃは特定受診者の選択をメモリに書き込む。続いてインターネットサーバー５ｃは担当医師を指定するか否かを尋ねるメッセージを携帯電話４Ａに送信し（Ｓ７４）、特定受診者は医師を指定するなら医師の氏名、指定しないなら無指定を情報仲介者５に通知する（Ｓ７５）。インターネットサーバー５ｃは医師の氏名または無指定をメモリに書き込み、診療希望期日を指定するか否かを尋ねるメッセージを携帯電話４Ａに送付する（Ｓ７６）。特定受診者は希望する日時、期間あるいは無指定を携帯電話４Ａから情報仲介者５に通知し（Ｓ７７）、インターネットサーバー５ｃは希望日時あるいは無指定をメモリに書き込む。このように特定受診者と情報仲介者は対話形式で調査条件を決定する。なお、更に詳細な調査条件、例えば診療科目等を対話形式で決定してもよい。
【００３３】
調査条件が決定されると、インターネットサーバー５ｃは調査条件をペイロードとするパケットからなる送信ファイルを作成し（Ｓ７８）、指定された医療機関あるいは指定された地域の医療機関に送信ファイルを送付して予約状況の調査を依頼する（Ｓ７９）。依頼を受けた医療機関はそれぞれのファイルサーバーに保管している受診予約ファイルを所与の条件で検索し（Ｓ８０）、その結果、即ち予約状況を情報仲介者５に報告する（Ｓ８１）。
【００３４】
指定された医療機関あるいは指定された地域の医療機関から予約状況が報告されると、インターネットサーバー５ｃは必要な調査の完了を確認して、医療機関の予約状況をペイロードとするパケットからなる送信ファイルを作成し（Ｓ８２）、送信ファイルを通信事業者３に渡して特定受診者の携帯電話４Ａに送信するよう依頼する（Ｓ８３）。
【００３５】
パケットを受け取った携帯電話４Ａは予約状況をメモリに記憶すると共に画像として表示する（Ｓ８４）。特定受診者は携帯電話４Ａに表示された予約状況を見て、他の条件で更に予約状況を調査するか否かを携帯電話４Ａに指示する（Ｓ８５）．もし、更に予約調査が必要なら、携帯電話４ＡはステップＳ７１に戻り、ステップＳ７１乃至Ｓ８５からなるループを再度実施して予約状況を再度調査する。他方、調査が不要なら、携帯電話４Ａは処理を終了する。
【００３６】
次に、依頼４の処理手順を説明する。図６は依頼４の処理手順を示すフローチャートである。特定受診者が身体情報を得て、治療の必要性を自覚したとする。特定受診者は携帯電話４Ａに診療の予約を要求する。携帯電話４Ａは直ちに処理を開始して、まずメモリに直近の予約状況の有無を調査する（Ｓ９１）。予約依頼直前に調査をした場合は、ステップＳ９１の判断は「はい」（Ｙ）となり特定受診者に医療機関名、診療希望日時、更に必要なら医師名を携帯電話４Ａに入力する（Ｓ９３）。他方、予約状況を調査していなかった場合や予約状況の調査から時間が経っているならステップＳ９２の判断は「いいえ」（Ｎ）となり、特定受診者はステップＳ７１乃至Ｓ８５を実施して、予約状況を調査する（Ｓ９２）。予約状況が得られれば、ステップＳ９３に進み、医療機関名等を携帯電話４Ａに入力する。ここで特定受診者は医療機関１Ａを指定したと仮定する。
【００３７】
特定受診者が入力した医療機関名等は情報仲介者５に通知され、情報仲介者５のインターネットサーバー５ｃは暗証番号等で本人を確認した後、特定受診者により指定された医療機関１Ａに診療希望日時等を送付して仮予約を依頼する（Ｓ９４）。仮予約を依頼された医療機関のインターネットサーバー１ｄはファイルサーバー１ｃ内の受診予約ファイルを調査して（Ｓ９５）、仮予約可能か否かを判断する（Ｓ９６）。特定受診者が指定した日時に、指定されたあるいは何れかの医師が診療可能ならステップＳ９６の判断は「はい」（Ｙ）となり、インターネットサーバー１ｄは受診予約ファイルの指定日時の指定医師あるいは指定可能な医師の診療を仮予約する（Ｓ９７）。
【００３８】
インターネットサーバー１ｄは情報仲介者５に仮予約を通知し（Ｓ９８）、情報仲介者５のインターネットサーバー５ｃから本予約の依頼を受けると（Ｓ９９）、インターネットサーバー１ｄは受診予定ファイル中の仮予約を本予約に書きかえる（Ｓ１００）。なお、本予約を通知する前にインターネットサーバー５ｃは携帯電話４Ａを介して特定受診者の意思を確認してもよい。
【００３９】
本予約をすると、インターネットサーバー１ｄは情報仲介者５に予約の完了を通知し（Ｓ１０１）、情報仲介者５のインターネットサーバー５ｃが予約完了を携帯電話４Ａに通知し、携帯電話４Ａから特定受診者に予約完了を伝えて（Ｓ１０２）、処理を終了する。
【００４０】
他方、既に他の予約が特定受診者の指定する日時に受診予約ファイルに書きこまれていたなら、ステップＳ９６の判断は「いいえ」（Ｎ）となる。インターネットサーバー５ｃは同日の他の時間帯、あるいは指定医師について予約されていない日時を選択し、これらにつき仮予約し、情報仲介者５に通知する（Ｓ１０３）。インターネットサーバー５ｃは代替案を携帯電話４Ａに送り（Ｓ１０４）、特定受診者の意向を確認する。特定受信者が代替案のいずれかを受け入れると、ステップＳ１０５の判断は「はい」（Ｙ）となり、携帯電話４Ａは受け入れた代替案を情報仲介者５に通知する（Ｓ１０６）。情報仲介者５のインターネットサーバー５ｃは受け入れられた代替案を医療機関１Ａに送付し（Ｓ９９）、医療機関１Ａのインターネットサーバー１ｄは受け入れられた代替案の仮予約を本予約とし、それ以外の代替案をキャンセルする（Ｓ１００）。その後、予約完了がステップＳ１０１，Ｓ１０２を介して特定受診者に伝えられる。
【００４１】
ここで特定受診者が全ての代替案を不適当とした場合には、ステップＳ１０５の判断は「いいえ」（Ｎ）となり、携帯電話４ＡはステップＳ９３に戻って、ステップＳ９３乃至Ｓ１０６からなるループを繰り返して診療を予約する。
【００４２】
以上説明してきたように、本実施例に係る医療情報管理システムでは、身体情報が医療機関１Ａ，１Ｂ，１Ｃ，．．から情報仲介者５を介して受診者の携帯する移動情報端末に送られ身体情報を確実、かつ後日検証可能な状態で了知させられるうえ、治療、再検査の必要を自覚した特定受診者が移動情報端末から医療機関の受診予約状況を調べ、医療機関と特定受診者の双方にとって都合のよい日を診療のため予約できる。このように本発明に係る医療情報管理システムは医療機関と受診者の間で双方向に情報を伝えることができ、迅速かつ必要な検査や治療を促進できる。
【００４３】
本発明は前記実施例に限定されるない。例えば，携帯電話に代えてノート型パーソナルコンピュータまたは携帯電話に接続されたノート型パーソナルコンピュータを移動情報端末としてもよい。更に、メールアドレスに身体情報を配信するよう希望する受診者には、情報仲介事業者５は指定されたメールアドレスに身体情報を配信してもよい。また、インタネットを使用せずに専用線を使用してＷＡＮを構築してもよい。
【産業上の利用可能性】
【００４４】
本発明は医療機関および情報通信分野で利用できる。
【図面の簡単な説明】
【００４５】
【図１】本発明に係る医療情報管理システムのハードウエア構成を示したブロック図である。
【図２】本発明に係る医療情報管理システムを構成する情報処理装置が情報仲介者に受診者の身体情報を配信要求する手順を示すフローチャートである。
【図３】本発明に係る医療情報管理システムを構成する情報仲介者が受診者に身体情報を配信する手順を示したフローチャートである。
【図４】受診者が情報仲介者に身体情報の送信を依頼したときの処理手順を示したフローチャートである。
【図５】本発明の情報仲介者が受信予約状況を調べて受診者に了知せしめる処理手順を示したフローチャートである。
【図６】本発明の情報仲介者が受診者に代わって診療を予約する処理手順を示したフローチャートである。
【符号の説明】
【００４６】
１Ａ，１Ｂ，１Ｃ    医療機関
２Ａ，２Ｂ，２Ｃ    医療機関内ＬＡＮ
３                  通信事業者
４Ａ，４Ｂ，４Ｃ    携帯電話（移動情報端末）
５                  情報仲介者
５Ａ                情報仲介者内ＬＡＮ
【図１】
2006004305.tif 000003
【図２】
2006004305.tif 000004
【図３】
2006004305.tif 000005
【図４】
2006004305.tif 000006
【図５】
2006004305.tif 000007
【図６】
2006004305.tif 000008